(57)【要約】【課題】煩雑な配線を行うことなく、複数のスピーカユニットを組み合わせる。【解決手段】オスコネクタ４０Ａがメスコネクタ５０Ａに挿入されると、静電型スピーカユニット１Ａ（１Ｃ）の電極２０Ｕと静電型スピーカユニット１Ｂ（１Ｄ）が接続される。また両者の振動体１０同士が接続され、両者の電極２０Ｕ同士が接続される。また、オスコネクタ４０Ｂがメスコネクタ５０Ｂに挿入されると、静電型スピーカユニット１Ａ（１Ｂ）の電極２０Ｕと静電型スピーカユニット１Ｃ（１Ｄ）の電極２０Ｕが接続される。また、また両者の振動体１０同士が接続され、両者の電極２０Ｕ同士が接続される。オスコネクタ４０Ａ，４０Ｂをメスコネクタ５０Ａ，５０Ｂの挿入口５２の挿入するという簡単な作業だけで複数の静電型スピーカユニットを電気的に接続し、各静電型スピーカユニットに同じ信号を供給することが可能となっている。【選択図】図４
2010028211.tif 000002
【特許請求の範囲】
【請求項１】
導電性を有する第１電極と、
導電性を有し前記第１電極に対向して離間配置された第２電極と、
導電性を有し、前記第１電極と前記第２電極との間において前記第１電極および前記第２電極と離間して配置された振動体と、
前記第１電極、前記振動体および前記第２電極に接続された端子とを有するオスコネクタと、
前記第１電極、前記振動体およぼ前記第２電極に接続された端子とを有するメスコネクタと
を有する静電型スピーカユニット。
【請求項２】
隣接する静電型スピーカユニットと連結する連結手段を有する請求項１に記載の静電型スピーカユニット。
【請求項３】
前記連結手段は、連結された静電型スピーカユニット同士のなす角度を可変可能であることを特徴とする請求項２に記載の静電型スピーカユニット。
【請求項４】
前記オスコネクタは可撓性を有することを特徴とする請求項１乃至請求項３のいずれかに記載の静電型スピーカユニット。
【請求項５】
請求項１乃至請求項４のいずれかに記載の静電型スピーカユニットを複数有し、当該静電型スピーカユニットのオスコネクタが隣接する他の静電型スピーカユニットのメスコネクタに嵌められ、各静電型スピーカユニットの第１電極が電気的に接続され、各静電型スピーカユニットの振動体が電気的に接続され、各静電型スピーカユニットの第２電極が電気的に接続されているスピーカシステム。
【発明の詳細な説明】
【技術分野】
【０００１】
本発明は、静電型スピーカに関する。
【背景技術】
【０００２】
複数のスピーカユニットを組み合わせたスピーカとして特許文献１に開示されたスピーカがある。このスピーカは、側面に凹部を有する五角形のパネルを凹部に嵌められた弾性体により連結し、各パネル中央の穴にスピーカユニットが配置されている。この構成によれば、スピーカユニットが備え付けられるパネルを複数して大きなスピーカや立体的なスピーカを構成することもできる。
【０００３】
【特許文献１】特開２００６−３３３２２７号公報
【発明の開示】
【発明が解決しようとする課題】
【０００４】
ところで、特許文献１に開示されたスピーカにおいては各パネルに取り付けられるスピーカユニットは各々独立している。このため、スピーカユニットに信号を供給するための配線はスピーカユニット毎に行わなければならず、スピーカユニットの数が多くなると配線が煩わしくなるという問題がある。
【０００５】
本発明は、上述した背景の下になされたものであり、煩雑な配線を行うことなく、複数のスピーカユニットの組み合わせを可能する技術を提供することを目的とする。
【課題を解決するための手段】
【０００６】
上述した課題を解決するために本発明は、導電性を有する第１電極と、導電性を有し前記第１電極に対向して離間配置された第２電極と、導電性を有し、前記第１電極と前記第２電極との間において前記第１電極および前記第２電極と離間して配置された振動体と、前記第１電極、前記振動体および前記第２電極に接続された端子とを有するオスコネクタと、前記第１電極、前記振動体およぼ前記第２電極に接続された端子とを有するメスコネクタとを有する静電型スピーカユニットを提供する。
【０００７】
本発明においては、隣接する静電型スピーカユニットと連結する連結手段を有していてもよい。
また、本発明においては、前記連結手段は、連結された静電型スピーカユニット同士のなす角度を可変可能であってもよい。
また、本発明においては、前記オスコネクタは可撓性を有していてもよい。
【０００８】
また、本発明は、上記いずれか構成の静電型スピーカユニットを複数有し、当該静電型スピーカユニットのオスコネクタが隣接する他の静電型スピーカユニットのメスコネクタに嵌められ、各静電型スピーカユニットの第１電極が電気的に接続され、各静電型スピーカユニットの振動体が電気的に接続され、各静電型スピーカユニットの第２電極が電気的に接続されているスピーカシステムを提供する。
【発明の効果】
【０００９】
本発明によれば、煩雑な配線を行うことなく、複数のスピーカユニットを組み合わせることができる。
【発明を実施するための最良の形態】
【００１０】
［実施形態］
図１は本発明の実施形態に係る静電型スピーカユニット１の外観図、図２は静電型スピーカユニット１の断面図である。また、図３は複数の静電型スピーカユニット１を連結して得られるスピーカシステムＳの上面図である。
【００１１】
（静電型スピーカユニット１の構成）
まず、スピーカシステムＳを構成する静電型スピーカユニット１について説明する。
図に示したように、静電型スピーカユニット１は振動体１０、電極２０Ｕ，２０Ｌ、スペーサ３０Ｕ，３０Ｌとを有している。また、静電型スピーカユニット１は、オスコネクタ４０Ａ，４０Ｂと、メスコネクタ５０Ａ，５０Ｂとを有している。なお、図中の各構成要素の寸法は、構成要素の形状を容易に理解できるように実際の寸法とは異ならせてあり、図中で「○」の中に「・」が記載されたものは図面の裏から表に向かう矢印を意味するものとする。
【００１２】
（静電型スピーカユニット１の各部の構成）
振動体１０は、例えば、ＰＥＴ（polyethylene terephthalate、ポリエチレンテレフタレート）、ＰＰ（polypropylene、ポリプロピレン）などのフィルムに、導電性を有する金属を蒸着あるいは導電性塗料を塗布したものであり、その厚さは、数μｍ〜数十μｍ程度の厚さとなっている。
【００１３】
スペーサ３０Ｕ，３０Ｌは絶縁体で形成されており、その形状は矩形の枠形となっている。なお、本実施形態においては、スペーサ３０Ｕ，３０ＬのＸ方向およびＹ方向の長さと、電極２０Ｕ，２０ＬのＸ方向およびＹ方向の長さは同じとなっている。また、スペーサ３０Ｕとスペーサ３０ＬのＺ方向の高さは、いずれも同じとなっている。
【００１４】
電極２０Ｕ，２０Ｌは、導電性を有する板状の金属を矩形に加工したものである。電極２０Ｕ，２０Ｌにおいては、音響透過性を確保するために表面から裏面に貫通する貫通孔２１が所定間隔で複数設けられている。なお、本実施形態においては、電極２０Ｕ，２０ＬのＸ方向およびＹ方向の長さは、振動体１０のＸ方向およびＹ方向の長さより長くなっている。
【００１５】
オスコネクタ４０Ａ，４０Ｂは、銅箔で形成された端子を絶縁性のあるフィルムの間に挟んだ屈曲性のあるシート状のコネクタであり、端子４１Ａ〜４１Ｃを有している。なお、オスコネクタ４０Ａ，４０Ｂの両面においては、図１に示したように端部で端子４１Ａ〜４１Ｃが露出している。
【００１６】
メスコネクタ５０Ａ，５０Ｂは、オスコネクタ４０Ａ，４０Ｂが嵌められるコネクタである。メスコネクタ５０Ａ，５０Ｂは、オスコネクタ４０Ａ，４０Ｂが挿入される挿入口５２を有しており、挿入口５２の内部においては、嵌められたオスコネクタ４０Ａ，４０Ｂの端部で露出した端子４１Ａ〜４１Ｃに接触する端子５１Ａ〜５１Ｃを有している。
【００１７】
（静電型スピーカユニット１の構造）
次に静電型スピーカユニット１の構造について説明する。静電型スピーカユニット１においては、振動体１０の周縁部がスペーサ３０Ｕとスペーサ３０Ｌとの間に張力を掛けられた状態で挟まれてスペーサ３０Ｕ，３０Ｌに固着されており、振動体１０を挟んでいるスペーサ３０Ｕとスペーサ３０Ｌは互いに固着されている。
また、静電型スピーカユニット１においては、電極２０Ｕはスペーサ３０Ｕに固定され、電極２０Ｌはスペーサ３０Ｌに固定されており、電極２０Ｕと電極２０Ｌはスペーサ３０Ｕとスペーサ３０Ｌを挟んで対向し、振動体１０との間にギャップを有している。
【００１８】
また、静電型スピーカユニット１においては、オスコネクタ４０Ａ，４０Ｂの一方の端部はスペーサ３０Ｕとスペーサ３０Ｌとの間に位置し、この位置にある端子４１Ａは図示せぬ配線で電極２０Ｕに接続され、端子４１Ｂは振動体１０に接続され、端子４１Ｃは電極２０Ｌに接続されている。また、オスコネクタ４０Ａ，４０Ｂのもう一方の端部は、枠形をしたスペーサ３０Ｕ，３０Ｌの外側に位置している。なお、本実施形態においては、オスコネクタ４０Ａは静電型スピーカユニット１のＹ方向に沿った側面の一方に配置され、オスコネクタ４０ＢはＸ方向に沿った側面の一方に配置されている。
【００１９】
また、メスコネクタ５０Ａ，５０Ｂについては、メスコネクタ５０Ａはオスコネクタ４０Ａが位置する側面と反対側の側面に配置され、メスコネクタ５０Ｂはオスコネクタ４０Ｂが位置する側面と反対側の側面に配置されている。なお、各メスコネクタの挿入口５２は、開口部がスペーサ３０Ｕ，３０Ｌの反対側に向けられている。そして、各メスコネクタの端子５１Ａは図示せぬ配線で電極２０Ｕに接続され、端子５１Ｂは振動体１０に接続され、端子５１Ｃは電極２０Ｌに接続されている。
【００２０】
（スピーカシステムＳの構成）
次に、静電型スピーカユニット１を連結して得られるスピーカシステムＳについて説明する。
スピーカシステムＳは、図３に示したように、オスコネクタ４０Ａ，４０Ｂをメスコネクタ５０Ａ，５０Ｂの挿入口５２に挿入して、上述した静電型スピーカユニット１と同じ構成の静電型スピーカユニット１Ａ〜１Ｄを連結したものである。
図３に示したように静電型スピーカユニット１Ａ〜１Ｄを連結する場合、静電型スピーカユニット１Ｄのオスコネクタ４０Ａの端部は隣接する静電型スピーカユニット１Ｃのメスコネクタ５０Ａの挿入口５２に挿入され、オスコネクタ４０Ｂの端部は隣接する静電型スピーカユニット１Ｂのメスコネクタ５０Ｂの挿入口５２に挿入される。
また、静電型スピーカユニット１Ａのメスコネクタ５０Ａの挿入口５２には静電型スピーカユニット１Ｂのオスコネクタ４０Ａが挿入され、静電型スピーカユニット１Ａのメスコネクタ５０Ｂの挿入口５２には静電型スピーカユニット１Ｃのオスコネクタ４０Ｂが挿入される。
【００２１】
オスコネクタ４０Ａがメスコネクタ５０Ａの挿入口５２に挿入されると、挿入口５２においては端子５１Ａと端子４１Ａが接触し、静電型スピーカユニット１Ａ（１Ｃ）の電極２０Ｕと静電型スピーカユニット１Ｂ（１Ｄ）の電極２０Ｕが電気的に接続される。また、挿入口５２においては端子５１Ｂと端子４１Ｂが接触し、静電型スピーカユニット１Ａ（１Ｃ）の振動体１０と静電型スピーカユニット１Ｂ（１Ｄ）の振動体１０が電気的に接続され、端子５１Ｃと端子４１Ｃが接触し、静電型スピーカユニット１Ａ（１Ｃ）の電極２０Ｌと静電型スピーカユニット１Ｂ（１Ｄ）の電極２０Ｌが電気的に接続される。
【００２２】
また、オスコネクタ４０Ｂがメスコネクタ５０Ｂの挿入口５２に挿入されると、挿入口５２においては端子５１Ａと端子４１Ａが接触し、静電型スピーカユニット１Ａ（１Ｂ）の電極２０Ｕと静電型スピーカユニット１Ｃ（１Ｄ）の電極２０Ｕが電気的に接続される。また、挿入口５２においては端子５１Ｂと端子４１Ｂが接触し、静電型スピーカユニット１Ａ（１Ｂ）の振動体１０と静電型スピーカユニット１Ｃ（１Ｄ）の振動体１０が電気的に接続され、端子５１Ｃと端子４１Ｃが接触し、静電型スピーカユニット１Ａ（１Ｃ）の電極２０Ｌと静電型スピーカユニット１Ｂ（１Ｄ）の電極２０Ｌが電気的に接続される。
【００２３】
このように本実施形態においては、静電型スピーカユニット１同士の連結は、オスコネクタ４０Ａ，４０Ｂをメスコネクタ５０Ａ，５０Ｂの挿入口５２の挿入するだけの簡単な作業なので、複数の静電型スピーカユニット１を簡単に連結することができる。
また、本実施形態では、変圧器１１０から個々の静電型スピーカユニットへ配線を行うという煩雑な作業を行うことなく、オスコネクタ４０Ａ，４０Ｂをメスコネクタ５０Ａ，５０Ｂの挿入口５２の挿入するという簡単な作業だけで、複数の静電型スピーカユニットを電気的に接続して静電型スピーカユニットの各々に同じ信号を供給することが可能となっている。
【００２４】
（スピーカシステムＳの電気的構成）
次に、図４を用いてスピーカシステムＳの電気的構成について説明する。
図４は図３のように連結されたスピーカシステムＳの電気的構成を示した図である。図４に示された変圧器１１０は、一次側に入力された信号を昇圧して二次側に出力するものであり、一次側には外部から音響信号が入力される入力部１００が接続され、二次側は静電型スピーカユニット１Ａのオスコネクタ４０Ａの端子４１Ａと端子４１Ｃに接続される。また、振動体１０に直流バイアスを与えるバイアス電源１２０は、プラス側が静電型スピーカユニット１Ａのオスコネクタ４０Ａの端子４１Ｂに接続され、マイナス側が変圧器１１０の二次側の中点に接続される。
この構成においては、入力部１００に音響信号が入力されると入力された音響信号が変圧器１１０で昇圧されて静電型スピーカユニット１Ａの電極２０Ｕ，２０Ｌに印加される。
【００２５】
なお、図４に示したように各静電型スピーカユニットの電極２０Ｕは端子５１Ａと端子４１Ａを介して互いに接続されている。また、各静電型スピーカユニットの振動体１０も端子５１Ｂと端子４１Ｂを介して互いに接続され、各静電型スピーカユニットの電極２０Ｌも端子５１Ｃと端子４１Ｃを介して互いに接続されている。このため、変圧器１１０から静電型スピーカユニット１Ａの電極２０Ｕに印加された電圧は、静電型スピーカユニット１Ｂ〜１Ｄの電極２０Ｕにも印加され、静電型スピーカユニット１Ａの電極２０Ｌに印加された電圧は、静電型スピーカユニット１Ｂ〜１Ｄの電極２０Ｌにも印加される。また、バイアス電源１２０から静電型スピーカユニット１Ａの振動体１０に印加された電圧は、静電型スピーカユニット１Ｂ〜１Ｄの振動体１０にも印加される。
【００２６】
（スピーカシステムＳの動作）
次に、スピーカシステムＳの動作について説明する。
入力部１００に入力された音響信号が変圧器１１０に供給され、変圧器１１０から印加される電圧によって各静電型スピーカユニットの電極２０Ｕと電極２０Ｌとの間に電位差が生じると、各静電型スピーカユニットにおいては、振動体１０を電極２０Ｕの方向または電極２０Ｌの方向へ引き寄せる静電力が振動体１０に働く。
【００２７】
例えば、入力部１００に音響信号が入力されて各電極２０Ｕにプラスの電圧が印加され、各電極２０Ｌにマイナスの電圧が印加されると、各振動体１０にはバイアス電源１２０によりプラスの電圧が印加されているため、振動体１０において電極２０Ｕと電極２０Ｌとの間にある部分は、プラスの電圧が印加されている電極２０Ｕと反発する一方、マイナスの電圧が印加されている電極２０Ｌに吸引されて電極２０Ｌ側へ変位する。
【００２８】
次に入力部１００に音響信号が入力されて各電極２０Ｕにマイナスの電圧が印加され、各電極２０Ｌにプラスの電圧が印加されると、各振動体１０はプラスの電圧が印加されている電極２０Ｌと反発する一方、マイナスの電圧が印加されている電極２０Ｕに吸引されて電極２０Ｕ側へ変位する。
【００２９】
このように、各振動体１０が音響信号に応じて変位し(撓み)、その変位方向が逐次変わることによって振動となり、その振動状態（振動数、振幅、位相）に応じた音が各振動体１０から発生する。発生した音は、少なくとも各電極２０Ｕ側または各電極２０Ｌ側の一方を通り抜けて各静電型スピーカユニット１の外部に放射される。
【００３０】
なお、本実施形態においては、静電型スピーカユニット１はコネクタで連結されていて容易に連結を解除できるため、使用しない時には分解して容易に持ち運ぶこともできる。
【００３１】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００３２】
図３においては、４つの静電型スピーカユニットが互いに連結されているが、連結する静電型スピーカユニットの数は４つに限定されるものではなく、３つ以下または５つ以上であってもよい。なお、静電型スピーカスピーカユニットを好みの数だけ連結すれば、自由にスピーカシステムＳの大きさを設定できる。
また、図３においてはスピーカシステムＳは正方形となっているが、複数の静電型スピーカユニット１を連結する際には、上から見たスピーカシステムＳの形状が長方形になるようにしてもよく、また、ピラミッド型になるようにしてもよい。また、任意に静電型スピーカユニット１を連結し、スピーカシステムＳの形状をこれらの形状以外の形状や文字の形状などにしてもよい。
【００３３】
上述した実施形態においては、スピーカシステムＳを構成する各静電型スピーカユニットの大きさは同じとなっているが、静電型スピーカユニットの大きさは同じでなく、複数種類の大きさがあってもよい。
また、静電型スピーカユニット１を上から見た時の形状は上述した実施形態では矩形となっているが、矩形でなく多角形であってもよい。
【００３４】
上述した実施形態においては、メスコネクタ５０Ａ，５０Ｂに挿入されるのは可撓性のあるオスコネクタ４０Ａ，４０Ｂであるが、オスコネクタ４０Ａ，４０Ｂを剛性を有するものとし、メスコネクタ５０Ａ，５０Ｂにオスコネクタの脱落防止機構を設けるようにしてもよい。
また、上述した実施形態においては、メスコネクタ５０Ａ，５０Ｂはスペーサ３０Ｕ，３０Ｌの側面に位置しているが、メスコネクタ５０Ａ，５０Ｂをスペーサ３０Ｕ，３０Ｌの内部に埋め込むようにしてもよい。
【００３５】
本発明に係るメスコネクタにおいては、端子５１Ａと電極２０Ｕとの間、端子５１Ｂと振動体１０との間、および端子５１Ｃと電極２０Ｌとの間の導通／非導通を切り替えるスイッチを設けるようにしてもよい。
この構成によれば、図３に示したスピーカシステムＳの場合、静電型スピーカユニット１Ａと静電型スピーカユニット１Ｂとの間を電気的に非接続とし、静電型スピーカユニット１Ｃと静電型スピーカユニット１Ｄとの間を電気的に非接続とすることもできる。
そして、静電型スピーカユニット１Ａのオスコネクタ４０Ｂと静電型スピーカユニット１Ｂのオスコネクタ４０Ｂとに別々の音響信号を供給すれば、静電型スピーカユニット１Ａ，１Ｃから放射される音と、静電型スピーカユニット１Ｂ，１Ｄから放射される音とを異なるものにすることができる。
また、上述した実施形態においては、スピーカシステムＳは静電型スピーカユニットが二行×二列で並んでいるが、静電型スピーカユニットが三列以上並んでいてもよい。
この場合、上述したようにコネクタのスイッチを操作して同じ列でのみ電気的に接続がなされるようにし、ある列の静電型スピーカユニットには低域の音響信号、ある列の静電型スピーカユニットには中域の音響信号、ある列の静電型スピーカユニットには高域の音響信号を供給し、列毎に再生される音の帯域を異ならせるようにしてもよい。
なお、本発明においては、メスコネクタだけでなくオスコネクタにおいても端子４１Ａと電極２０Ｕとの間、端子４１Ｂと振動体１０との間、および端子４１Ｃと電極２０Ｌとの間の導通／非導通を切り替えるスイッチを設けるようにしてもよい。
【００３６】
本発明においては、スピーカシステムＳにおいて静電型スピーカユニットの連結を維持
するために、静電型スピーカユニットの側面に図５に示したオスジョイント６０とメスジョイント７０（連結手段）とを取り付けてもよい。
オスジョイント６０は、合成樹脂で形成された円柱形の円柱部６１と、円柱部の周面に設けられ円柱部６１を支持する支持部６２とで構成されている。一方、メスジョイント７０は、合成樹脂で形成されたリングの一部を一定の幅で切り取った形状の連結部７１と、連結部７１の周面に設けられ連結部７１を支持する支持部７２とで構成されている。
連結部７１は合成樹脂で形成されて弾性があり、円柱部６１を連結部７１の切り欠きの部分に押し込むと、円柱部６１が連結部７１の内側に位置する。なお、円柱部６１の表面で連結部７１を滑らせ円柱部６１を中心にして連結部７１を回転させることも可能であり、また、連結部７１は弾性を有しており押し込まれた円柱部６１を締め付けて円柱部６１に対して固定されるため、連結部７１を任意に回転させた状態で固定することもできる。
【００３７】
上述したようにメスコネクタ５０Ａ，５０Ｂがスペーサ３０Ｕ，３０Ｌに埋め込まれてスペーサ３０Ｕ，３０Ｌから突出しない構成において、オスジョイント６０をメスコネクタ５０Ａの両横とメスコネクタ５０Ｂの両横に配置し、メスジョイント７０をオスコネクタ４０Ａの両横とオスコネクタ４０Ｂの両横に配置するようにしてもよい。このように、オスジョイント６０とメスジョイント７０とを静電型スピーカユニットの側面に配置すれば、メスコネクタ５０Ａ，５０Ｂと連結されたオスコネクタ４０Ａ，４０Ｂは可撓性があって撓むため、オスジョイント６０とメスジョイント７０とで図６に示したように静電型スピーカユニット同士を角度をつけて連結し、立体的なスピーカシステムＳを構成することもできる。
なお、静電型スピーカユニット同士を連結するジョイントは、図５に示した形状に限定されるものではなく、連結を維持できる形状であれば他の形状であってもよい。
【００３８】
また、静電型スピーカユニット１Ａ〜１Ｄにおいて、オスジョイント６０をメスコネクタ５０Ａの両横とメスコネクタ５０Ｂの両横に配置し、メスジョイント７０をオスコネクタ４０Ａの両横とオスコネクタ４０Ｂの両横に配置するようにしてもよい。
このように、オスジョイント６０とメスジョイント７０とを静電型スピーカユニットの側面に配置すれば、スピーカシステムＳにおいては、オスコネクタ４０Ａとメスコネクタ５０Ａとが連結されてオスコネクタ４０Ａとメスコネクタ５０Ａとで電気的な連結が実現されると共に、オスコネクタ４０Ａの両横にあるメスジョイント７０と、メスコネクタ５０Ａの両横にあるオスジョイント６０とが連結されて機械的な連結が実現される。
また、オスコネクタ４０Ｂとメスコネクタ５０Ｂとが連結されてオスコネクタ４０Ｂとメスコネクタ５０Ｂとで電気的な連結が実現されると共に、オスコネクタ４０Ｂの両横にあるメスジョイント７０と、メスコネクタ５０Ｂの両横にあるオスジョイント６０とが連結されて機械的な連結が実現される。
ここで、オスコネクタ４０Ａ，４０Ｂの長さをメスコネクタ５０Ａ，５０Ｂの長さより長くしておき、オスコネクタとメスコネクタを連結した時にオスコネクタ４０Ａ，４０Ｂがメスコネクタ５０Ａ，５０Ｂから露出して撓むように構成すれば、オスジョイント６０とメスジョイント７０とで図６と同様に静電型スピーカユニット同士を角度をつけて連結した場合、オスコネクタ４０Ａ，４０Ｂは可撓性により撓み、立体的なスピーカシステムＳを構成することもできる。
【００３９】
本発明においては、隣接する静電型スピーカユニット同士を電気的に接続させたくない場合には、オスコネクタ４０Ａ，４０Ｂは可撓性を有しているため、オスコネクタ４０Ａ，４０Ｂを撓ませて隣接するメスコネクタ５０Ａ，５０Ｂの挿入口５２に挿入しないようにしてもよい。
【００４０】
上述した実施形態においては、静電型スピーカユニット１は２つのオスコネクタと２つのメスコネクタを有しているが、オスコネクタ４０Ａとメスコネクタ５０Ａを有し、オスコネクタ４０Ｂとメスコネクタ５０Ｂを有さない構成であってもよい。
また、オスコネクタ４０Ａとメスコネクタ５０Ｂを有し、オスコネクタ４０Ｂとメスコネクタ５０Ａを有さない構成であってもよい。
また、オスコネクタ４０Ｂとメスコネクタ５０Ａを有し、オスコネクタ４０Ａとメスコネクタ５０Ｂを有さない構成であってもよい。
また、これらの、オスコネクタ４０Ａとメスコネクタ５０Ａのみを有するものと、オスコネクタ４０Ａとメスコネクタ５０Ｂのみを有するものと、オスコネクタ４０Ｂとメスコネクタ５０Ａのみを有するものとを連結してスピーカシステムＳを構成してもよい。
【図面の簡単な説明】
【００４１】
【図１】本発明の一実施形態に係る静電型スピーカユニット１の外観図である。
【図２】静電型スピーカユニット１の断面図である。
【図３】本発明の一実施形態に係るスピーカシステムＳの上面図である。
【図４】スピーカシステムＳの電気的構成を示した図である。
【図５】本発明の変形例に係るオスジョイント６０とメスジョイント７０の外観図である。
【図６】オスジョイント６０とメスジョイント７０を有する静電型スピーカユニットを連結した時の側面図である。
【符号の説明】
【００４２】
１，１Ａ〜１Ｄ・・・静電型スピーカユニット、１０・・・振動体、２０Ｕ，２０Ｌ・・・電極、３０Ｕ，３０Ｌ・・・スペーサ、４０Ａ，４０Ｂ・・・オスコネクタ、４１Ａ〜４１Ｃ・・・端子、５０Ａ，５０Ｂ・・・メスコネクタ、５１Ａ〜５１Ｃ・・・端子、６０・・・オスジョイント、７０・・・メスジョイント、１００・・・入力部、１１０・・・変圧器、１２０・・・バイアス電源
【図１】
2010028211.tif 000003
【図２】
2010028211.tif 000004
【図３】
2010028211.tif 000005
【図４】
2010028211.tif 000006
【図５】
2010028211.tif 000007
【図６】
2010028211.tif 000008